(57)【要約】  映像信号処理装置が開示される。本装置は、互いに異なるカラーを有する複数の光源を順次に点灯するバックライト駆動部と、入力映像信号のフレームを複数個のサブフレームに区分するサブフレーム算出部と、複数個のサブフレームをディスプレイパネル上に順次に出力するディスプレイ処理部と、複数個のサブフレームごとに、複数の光源が順次に点灯されるようにバックライト駆動部に同期信号を出力する同期信号処理部とを含む。それにより、色割れ現象を軽減させることができる。
2014518399.tif 000002
【特許請求の範囲】
【請求項１】
互いに異なるカラーを有する複数の光源を順次に点灯するバックライト駆動部と、
入力映像信号のフレームを複数個のサブフレームに区分するサブフレーム算出部と、
前記複数個のサブフレームをディスプレイパネル上に順次に出力するディスプレイ処理部と、
前記複数個のサブフレームごとに、前記複数の光源が順次に点灯されるように前記バックライト駆動部に同期信号を出力する同期信号処理部と
を含む映像信号処理装置。
【請求項２】
前記ディスプレイ処理部は、
前記入力映像信号を複数の色成分に分離する分離部と、
前記サブフレーム算出部で区分された複数のサブフレームに応じて、前記入力映像信号のデータを選択的に前記ディスプレイパネルに提供するデータ選択部と
を含むことを特徴とする請求項１に記載の映像信号処理装置。
【請求項３】
前記サブフレーム算出部が、前記フレームをｎ個のサブフレーム（ｎは２以上の整数）に区分する場合、
前記同期信号処理部は、
出力垂直同期信号の周波数を入力垂直同期信号の周波数よりｎ倍増大させ、出力水平同期信号の数を入力水平同期信号の１／ｎ倍に減少させることを特徴とする請求項２に記載の映像信号処理装置。
【請求項４】
前記サブフレーム算出部は、
前記入力映像信号のフレームを、前記フレームの全ライン中の奇数ラインを示す奇数ラインサブフレームおよび偶数ラインを示す偶数ラインサブフレームに区分することを特徴とする請求項１に記載の映像信号処理装置。
【請求項５】
前記複数の光源は、Ｒ光源、Ｇ光源、Ｂ光源を含み、
前記ディスプレイ処理部は、
１つのサブフレーム内において、前記Ｒ光源、前記Ｇ光源、前記Ｂ光源が順次に点灯されると、次のサブフレームが開始される前に前記ディスプレイパネルにブラックを表示するように処理することを特徴とする請求項４に記載の映像信号処理装置。
【請求項６】
前記複数のサブフレームごとにフレーム補正を行う補正部を更に含むことを特徴とする請求項１に記載の映像信号処理装置。
【請求項７】
互いに異なるカラーの複数の光源が設けられたバックライトユニットと、
前記バックライトユニットに設けられた前記複数の光源を順次に点灯するバックライト駆動部と、
入力映像信号に応じてイメージを出力するディスプレイ部と、
前記入力映像信号のフレームを複数個のサブフレームに区分して順次に出力するように前記ディスプレイ部に提供し、前記複数個のサブフレームごとに、前記複数の光源が順次に点灯されるように前記バックライト駆動部に同期信号を出力する処理部と
前記バックライト駆動部と、前記処理部および前記ディスプレイ部を制御する制御部と
を含むディスプレイ装置。
【請求項８】
前記処理部は、
前記入力映像信号のフレームをｎ個のサブフレーム（ｎは２以上の整数）に区分するサブフレーム算出部と、
前記ｎ個のサブフレームをディスプレイパネル上に順次に出力するディスプレイ処理部と、
前記サブフレームの数に応じて、出力垂直同期信号および出力水平同期信号を調整して前記バックライト駆動部に出力する同期信号処理部と
を含むことを特徴とする請求項７に記載のディスプレイ装置。
【請求項９】
前記ディスプレイ処理部は、
前記入力映像信号を複数の色成分に分離する分離部と、
前記サブフレーム算出部で区分された複数のサブフレームに応じて、前記入力映像信号のデータを選択的に前記ディスプレイ部に提供するデータ選択部と
を含み、
前記同期信号処理部は、
前記出力垂直同期信号の周波数を入力垂直同期信号の周波数よりｎ倍増大させ、前記出力水平同期信号の数を入力水平同期信号の１／ｎ倍に減少させることを特徴とする請求項８に記載のディスプレイ装置。
【請求項１０】
前記処理部は、
前記入力映像信号のフレームを、前記フレームの全ライン中の奇数ラインを示す奇数ラインサブフレームおよび偶数ラインを示す偶数ラインサブフレームに区分するサブフレーム算出部と、
前記奇数ラインサブフレームおよび前記偶数ラインサブフレームをディスプレイパネル上に順次に出力するディスプレイ処理部と、
前記奇数ラインサブフレーム内で前記複数の光源を順次に点灯し、前記偶数ラインサブフレーム内で前記複数の光源を順次に点灯するように、出力垂直同期信号および出力水平同期信号を調整して前記バックライト駆動部に出力する同期信号処理部と
を含むことを特徴とする請求項７に記載のディスプレイ装置。
【請求項１１】
前記複数の光源は、Ｒ光源、Ｇ光源、Ｂ光源を含み、
前記ディスプレイ処理部は、
１つのサブフレーム内において、前記Ｒ光源、前記Ｇ光源、前記Ｂ光源が順次に点灯されると、次のサブフレームが開始される前に前記ディスプレイ部にブラックを表示するように処理することを特徴とする請求項８に記載のディスプレイ装置。
【請求項１２】
前記複数のサブフレームごとにフレーム補正を行う補正部を更に含むことを特徴とする請求項７に記載のディスプレイ装置。
【請求項１３】
入力映像信号のフレームを複数個のサブフレームに区分するステップと、
前記サブフレームの数に応じて、入力垂直同期信号および入力水平同期信号を調整し、出力垂直同期信号および出力水平同期信号を生成するステップと、
前記複数個のサブフレームを順次にディスプレイしつつ、バックライトユニット内に設けられた互いに異なるカラーの複数の光源を前記出力垂直同期信号および前記出力水平同期信号に応じて、各サブフレーム内で順次に点灯するステップと
を含むディスプレイ方法。
【請求項１４】
前記入力映像信号のフレームがｎ個のサブフレーム（ｎは２以上の整数）に区分された場合、
前記出力垂直同期信号の周波数は、入力垂直同期信号の周波数よりｎ倍増大され、前記出力水平同期信号の数は、入力水平同期信号の１／ｎ倍に減少されたものであることを特徴とする請求項１３に記載のディスプレイ方法。
【請求項１５】
入力映像信号のフレームを複数個のサブフレームに区分するサブフレーム算出部と、
前記複数個のサブフレームをディスプレイパネル上に順次に出力するディスプレイ処理部と、
複数の光源を、前記複数個のサブフレームのぞれぞれで順次に点灯するバックライト駆動部と
を含み、
前記複数の光源は、互いに異なるカラーを有することを特徴とする映像信号処理装置。
【発明の詳細な説明】
【技術分野】
【０００１】
本発明は、映像信号処理装置と、それを用いるディスプレイ装置およびその方法に関し、より詳細には、互いに異なるカラーの複数の光源を順次に駆動させる方式の映像信号処理装置と、それを用いるディスプレイ装置およびその方法に関する。
【背景技術】
【０００２】
電子技術の発達により、テレビのようなディスプレイ装置は飛躍的な発展を成し遂げている。特に、数年前までは最も多く使用されていたＣＲＴタイプのディスプレイ装置は、最近、ＣＲＴディスプレイ装置より薄くかつ軽い平板型ディスプレイ装置に入れ替わりつつある状況である。
【０００３】
このような平板型ディスプレイ装置には、ＰＤＰディスプレイ装置、ＬＣＤディスプレイ装置等があるが、現在は、ＬＣＤディスプレイ装置の使用率が多少高い傾向にある。
【０００４】
ＬＣＤディスプレイ装置は、マトリックス形態で配列された複数の液晶セルと、これらの液晶セルのそれぞれに供給されるビデオ信号をスイッチングする複数のスイッチとを含む液晶パネルと、その液晶パネルの背面に設けられて、光を提供するバックライトユニットを含む。最近は、バックライトユニットの光源として、ランプ以外にＬＥＤも使用されている。
【０００５】
一方、このようなバックライトユニットでは、より高効率に光を提供し、より高画質を得るために、フレームシーケンシャルカラー（Ｆｒａｍｅ  Ｓｅｑｕｅｎｔｉａｌ  Ｃｏｌｏｒ：ＦＳＣ）方式が使用されている。フレームシーケンシャルカラー方式は、フィールドシーケンシャルカラー方式とも称してよい。
【０００６】
フレームシーケンシャルカラー駆動方式は、色を表示するために、複数の光源を順次に駆動させ、人の眼に残像効果をもたらして色を認識させる駆動方式を意味する。フレームシーケンシャルカラー駆動方式によると、Ｒ、Ｇ、Ｂカラーフィルタを使用することなく、色を実現することができる。
【０００７】
しかし、フレームシーケンシャルカラー駆動方式を利用する場合、自分の視線が移動する経路、すなわち、視覚軌跡と画面上における画素発行位置とが合致しないことから、色割れ（ｃｏｌｏｒ  ｂｒｅａｋ  ｕｐ）現象が生じるという問題点があった。
【０００８】
よって、このような問題点を解決することができる技術が必要であるという声が上がっている。
【発明の概要】
【発明が解決しようとする課題】
【０００９】
そこで、本発明は、上記問題に鑑みてなされたものであり、本発明の目的とするところは、バックライトユニット内の光源を適切に駆動させ、色割れ現象を軽減させることができる映像信号処理装置と、ディスプレイ装置およびその方法を提供することにある。
【課題を解決するための手段】
【００１０】
以上のような目的を達成するための本発明の一実施形態に係る映像信号処理装置は、互いに異なるカラーを有する複数の光源を順次に点灯するバックライト駆動部と、入力映像信号のフレームを複数個のサブフレームに区分するサブフレーム算出部と、前記複数個のサブフレームをディスプレイパネル上に順次に出力するディスプレイ処理部と、前記複数個のサブフレームごとに、前記複数の光源が順次に点灯されるように前記バックライト駆動部に同期信号を出力する同期信号処理部とを含む。
【００１１】
前記ディスプレイ処理部は、前記入力映像信号を複数の色成分に分離する分離部と、前記サブフレーム算出部で区分された複数のサブフレームに応じて、前記入力映像信号のデータを選択的に前記ディスプレイパネルに提供するデータ選択部とを含んでよい。
【００１２】
ここで、前記サブフレーム算出部が、前記フレームをｎ個のサブフレーム（ｎは２以上の整数）に区分する場合、前記同期信号処理部は、出力垂直同期信号の周波数を入力垂直同期信号の周波数よりｎ倍増大させ、出力水平同期信号の数を入力水平同期信号の１／ｎ倍に減少させてよい。
【００１３】
一方、前記サブフレーム算出部は、前記入力映像信号のフレームを、前記フレームの全ライン中の奇数ラインを示す奇数ラインサブフレームおよび偶数ラインを示す偶数ラインサブフレームに区分してよい。
【００１４】
ここで、前記複数の光源は、Ｒ光源、Ｇ光源、Ｂ光源を含んでよい。
【００１５】
この場合、前記ディスプレイ処理部は、１つのサブフレーム内において、前記Ｒ光源、前記Ｇ光源、前記Ｂ光源が順次に点灯されると、次のサブフレームが開始される前に前記ディスプレイパネルにブラックを表示するように処理してよい。
【００１６】
なお、本映像信号処理装置は、前記複数のサブフレームごとにフレーム補正を行う補正部を更に含んでよい。
【００１７】
一方、本発明の一実施形態に係るディスプレイ装置は、互いに異なるカラーの複数の光源が設けられたバックライトユニットと、前記バックライトユニットに設けられた前記複数の光源を順次に点灯するバックライト駆動部と、入力映像信号に応じてイメージを出力するディスプレイ部と、前記入力映像信号のフレームを複数個のサブフレームに区分して順次に出力するように前記ディスプレイ部に提供し、前記複数個のサブフレームごとに、前記複数の光源が順次に点灯されるように前記バックライト駆動部に同期信号を出力する処理部とを含む。
【００１８】
ここで、前記処理部は、前記入力映像信号のフレームをｎ個のサブフレーム（ｎは２以上の整数）に区分するサブフレーム算出部と、前記ｎ個のサブフレームをディスプレイパネル上に順次に出力するディスプレイ処理部と、前記サブフレームの数に応じて、出力垂直同期信号および出力水平同期信号を調整して前記バックライト駆動部に出力する同期信号処理部とを含む。
【００１９】
そして、前記ディスプレイ処理部は、前記入力映像信号を複数の色成分に分離する分離部と、前記サブフレーム算出部で区分された複数のサブフレームに応じて、前記入力映像信号のデータを選択的に前記ディスプレイ部に提供するデータ選択部とを含んでよい。
【００２０】
この場合、前記同期信号処理部は、前記出力垂直同期信号の周波数を入力垂直同期信号の周波数よりｎ倍増大させ、前記出力水平同期信号の数を入力水平同期信号の１／ｎ倍に減少させてよい。
【００２１】
または、前記処理部は、前記入力映像信号のフレームを、前記フレームの全ライン中の奇数ラインを示す奇数ラインサブフレームおよび偶数ラインを示す偶数ラインサブフレームに区分するサブフレーム算出部と、前記奇数ラインサブフレームおよび前記偶数ラインサブフレームをディスプレイパネル上に順次に出力するディスプレイ処理部と、前記奇数ラインサブフレーム内で前記複数の光源を順次に点灯し、前記偶数ラインサブフレーム内で前記複数の光源を順次に点灯するように、出力垂直同期信号および出力水平同期信号を調整して前記バックライト駆動部に出力する同期信号処理部とを含んでよい。
【００２２】
この場合、前記複数の光源は、Ｒ光源、Ｇ光源、Ｂ光源を含み、前記ディスプレイ処理部は、１つのサブフレーム内において、前記Ｒ光源、前記Ｇ光源、前記Ｂ光源が順次に点灯されると、次のサブフレームが開始される前に前記ディスプレイ部にブラックを表示するように処理してよい。
【００２３】
なお、本ディスプレイ装置は、前記複数のサブフレームごとにフレーム補正を行う補正部を更に含んでよい。
【００２４】
一方、本発明の一実施形態に係るディスプレイ方法は、入力映像信号のフレームを複数個のサブフレームに区分するステップと、前記サブフレームの数に応じて、入力垂直同期信号および入力水平同期信号を調整し、出力垂直同期信号および出力水平同期信号を生成するステップと、前記複数個のサブフレームを順次にディスプレイしつつ、バックライトユニット内に設けられた互いに異なるカラーの複数の光源を前記出力垂直同期信号および前記出力水平同期信号に応じて、各サブフレーム内で順次に点灯するステップとを含む。
【００２５】
ここで、前記入力映像信号のフレームがｎ個のサブフレーム（ｎは２以上の整数）に区分された場合、前記出力垂直同期信号の周波数は、入力垂直同期信号の周波数よりｎ倍増大され、前記出力水平同期信号の数は、入力水平同期信号の１／ｎ倍に減少されたものであってよい。
【００２６】
そして、前記複数の光源は、Ｒ光源、Ｇ光源、Ｂ光源を含む場合、１つのサブフレーム内において、前記Ｒ光源、前記Ｇ光源、前記Ｂ光源が順次に点灯されると、次のサブフレームが開始される前にブラックを表示するステップを更に含んでよい。
【００２７】
なお、前記複数のサブフレームごとにフレーム補正を行うステップを更に含んでよい。
【発明の効果】
【００２８】
以上説明したように、本発明によれば、別途にハードウェアを追加することなく、フレームシーケンシャルカラー駆動方式で、色割れ現象を軽減させることができる。
【図面の簡単な説明】
【００２９】
【図１】本発明の一実施形態に係る映像信号処理装置の構成を示すブロック図である。
【図２】本発明の別の実施形態に係る映像信号処理装置の構成を示すブロック図である。
【図３】本発明の一実施形態に係る映像信号処理方法によって色割れ現象が改善される方式を説明するための図である。
【図４】バックライト駆動とともに同期化されるディスプレイ駆動状態を説明するための図である。
【図５】本発明の一実施形態に係るディスプレイ装置の構成を示すブロック図である。
【図６】本発明の別の実施形態に係るディスプレイ装置の構成を示すブロック図である。
【図７】本発明の一実施形態に係るディスプレイ方法を説明するためのフローチャートである。
【図８】本発明の一実施形態に係るディスプレイ方法で、Ｒ、Ｇ、Ｂ光源を駆動する方式を具体的に説明するためのフローチャートである。
【発明を実施するための形態】
【００３０】
以下に添付図面を参照しながら、本発明の好適な実施形態について詳細に説明する。
【００３１】
図１は、本発明の一実施形態に係る映像信号処理装置の構成を示すブロック図である。図１の映像信号処理装置は、メディアプレーヤ、テレビ等のような映像信号を処理する装置、そのもので実現されてよく、その装置に搭載されて映像信号を処理するモジュールやチップで実現されてよい。
【００３２】
図１によると、映像信号処理装置１００は、バックライト駆動部１１０と、同期信号処理部１２０と、サブフレーム算出部１３０およびディスプレイ処理部１４０を含む。
【００３３】
バックライト駆動部１１０は、バックライトユニット内に設けられた互いに異なるカラーを有する複数の光源を順次に点灯する。具体的に、バックライト駆動部１１０は、ディスプレイタイミングに合わせて複数の光源をカラー別に、予め定められた順に順次にターンオンさせるための駆動信号を出力する。
【００３４】
サブフレーム算出部１３０は、入力映像信号のフレームを複数個のサブフレームに区分する。一例として、サブフレーム算出部１３０は、入力同期信号の中の垂直同期信号をトグリング（ｔｏｇｇｌｉｎｇ）し、入力映像信号の毎フレームをそれぞれ奇数ラインサブフレームと偶数ラインサブフレームとに区分してよい。ここで、奇数ラインサブフレームとは、当該フレームの全ライン中で奇数ラインのみを含むサブフレームを意味し、偶数ラインサブフレームとは、偶数ラインのみを含むサブフレームを意味する。
【００３５】
ここで、サブフレーム算出部１３０が区分するサブフレームの数は、３以上であってよい。すなわち、サブフレーム算出部１３０は、各フレームをｎ個のサブフレーム（ｎは２以上の整数）に区分することができる。一例として、１、４、７、…、ｍラインを含む第１サブフレームと、２、５、８、…、ｍ＋１ラインを含む第２サブフレームと、３、６、９、…、ｍ＋２ラインを含む第３サブフレームのように、３つのサブフレームに区分することもでき、それと異なるパターン、異なる数でサブフレームを生成することもできる。
【００３６】
ディスプレイ処理部１４０は、サブフレーム算出部１３０によって区分された各サブフレームがディスプレイパネル上に順次に出力されるように処理する。
【００３７】
一方、同期信号処理部１２０は、各サブフレーム内で複数の光源が順次に１回ずつ点灯されるようにバックライト駆動部１１０に同期信号を出力する。結果的に、複数の光源が順次に点灯される動作が、各サブフレームごとに行われるようになるため、１つのフレーム内では、複数回行われるようになる。それにより、視線軌跡に沿って客体ディスプレイ状態が変わるとしても、色割れ現象が軽減することができる。
【００３８】
同期信号処理部１２０は、各サブフレームごとに複数の光源が順次に１回ずつ駆動できるように、複数の光源を駆動させるための同期信号の状態をサブフレームの数に基づいて調整する。
【００３９】
例えば、上述のように、１つのフレームが奇数ラインサブフレームと偶数ラインサブフレームとに区分され、複数の光源がＲ光源、Ｇ光源、Ｂ光源からなる場合を例えると、同期信号処理部１２０は、奇数ラインサブフレームがディスプレイパネル上に表示される間、Ｒ光源、Ｇ光源、Ｂ光源が順次に点灯され、偶数ラインサブフレームがディスプレイパネル上に表示される間、Ｒ光源、Ｇ光源、Ｂ光源が再び順次に点灯されるように出力同期信号を調整する。
【００４０】
すなわち、１つのフレームがｎ個のサブフレームに区分されるとしたら、同期信号処理部１２０は、出力垂直同期信号の周波数を入力垂直同期信号の周波数よりｎ倍増大させ、出力水平同期信号の数を入力水平同期信号の１／ｎ倍に減少させることができる。例えば、１つのフレームが４つのサブフレームに区分される場合、同期信号処理部１２０は、１つのフレームが表示される時間の間、Ｒ、Ｇ、Ｂ光源がそれぞれ４回ずつ点灯されるように、出力垂直同期信号の周波数を４倍早く調整し、出力水平同期信号の数は１／４倍に減らすようになる。
【００４１】
図２は、本発明の別の実施形態に係る映像信号処理装置の構成を示すブロック図である。図２によると、映像信号処理装置１００は、バックライト駆動部１１０と、同期信号処理部１２０と、サブフレーム算出部１３０と、ディスプレイ処理部１４０および補正部１５０を含み、ここで、ディスプレイ処理部１４０は、分離部１４１と、データ選択部１４２とを含む。
【００４２】
図２において、バックライト駆動部１１０と、同期信号処理部１２０およびサブフレーム算出部１３０の動作は、図１の構成と同一であるため、それに対する繰り返し説明は省略する。
【００４３】
ディスプレイ処理部１４０内に設けられた分離部１４１は、入力映像信号を複数の色成分に分離する。具体的には、分離部１４１は、入力映像信号から出力フレームの同期信号に応じて、Ｒ、Ｇ、Ｂチャネルを分離することができる。すなわち、分離部１４１は、映像信号の各フレームを色空間変換方式を用いて、Ｒ、Ｇ、Ｂチャネルに変換する。変換されたＲ、Ｇ、Ｂチャネルは、単独でＲ、Ｇ、Ｂフィールドを実現することもでき、相互組み合わせられて、シアン（Ｃｙａｎ）、マジェンタ（Ｍａｇｅｎｔａ）、イエロー（Ｙｅｌｌｏｗ）、ホワイト（Ｗｈｉｔｅ）のようなフィールドを形成することもできる。
【００４４】
データ選択部１４２は、サブフレーム算出部１３０で区分された複数のサブフレームに応じて、入力映像信号のデータを選択的にディスプレイパネルに提供する。
【００４５】
すなわち、データ選択部１４２は、分離部１４１で分離されたそれぞれのカラーチャネルを予め設定された順に応じて順次にディスプレイパネルに提供する。ディスプレイパネルは、別途に設けられた制御部（図示せず）の制御に従って入力されるスキャン信号およびデータ信号に基づいて、各液晶セルをスイッチングさせてイメージを表示する。
【００４６】
一方、バックライト駆動部１１０は、上述のように、同期信号処理部１２０によって調整された出力同期信号に応じて、複数の光源を順次に点灯し、ディスプレイパネルで各サブフレームが表示される間に複数の光源が１回ずつ点灯されるように駆動する。
【００４７】
補正部１５０は、出力されるイメージを補正する構成を意味する。具体的には、補正部１５０は、動き推定または動き補償方式を用いて、毎サブフレームにおけるイメージ客体の表示位置を補正する。すなわち、複数個の連続するフレームの間でマッピングされるピクセルまたはピクセル群を検出する。それにより、検出されたピクセルまたはピクセル群に該当するイメージ客体のモーションベクトルを推定する。その後、当該モーションベクトルの大きさおよび方向に応じて、イメージ客体の表示位置を補正した後、補正された位置のイメージ客体を有する補間フレームを生成する。このように、補正部１５０が追加されて、動き推定または動き補償が同時に適用されると、色割れ現象をより効果的に低減することができる。
【００４８】
実施形態に応じて、補正部１５０は省略されてよい。なお、図１および図２における各構成要素の接続関係も実施形態に応じて変更されてよく、一部図示していない構成要素が更に追加されたり、省略されてよい。なお、上述のような実施形態においては、Ｒ、Ｇ、ＢチャネルまたはＣ、Ｍ、Ｙ、Ｗチャネル等に色分離が行われるものとして説明しているが、それに制限されるものではなく、色表現領域を拡張させるために使用される更なる基本色または混色等に対するチャネルが更に使用されてよい。
【００４９】
図３は、本発明の多様な実施形態に係る色割れ現象防止効果を説明するための図である。
【００５０】
図３の（ａ）は、１つのフレームごとにＲ、Ｇ、Ｂ光源を順次に点灯させる一般の装置における駆動方法を示す。図３の（ａ）において、横軸は時間を示し、縦軸は画面上におけるピクセル位置を示す。図３の（ａ）でのように、Ｎ−１フレームにおける客体１０の位置がＮフレームで移動した場合、ユーザの視線軌跡は矢印のように動く。この場合、視線軌跡に沿って重なる領域３０においては、Ｒカラーフレーム、Ｇカラーフレーム、Ｂカラーフレームが全て含まれるため、色が正常に表示されるが、重ならないその他の領域では、Ｒカラーフレーム、Ｇカラーフレーム、Ｂカラーフレームのうち少なくとも１つは含まれない。それにより、色割れ（ｃｏｌｏｒ  ｂｒｅａｋ  ｕｐ）現象が発生するようになる。
【００５１】
図３の（ｂ）は、本発明の一実施形態によって、１つのフレームを奇数ラインサブフレームと偶数ラインサブフレームとに区分し、Ｒ、Ｇ、Ｂ光源を点灯させる映像信号処理装置におけるバックライト駆動方法を示す。図３の（ｂ）のように、１つのサブフレーム内でＲ、Ｇ、Ｂ光源が順次に点灯する。その後、次のサブフレームが開始されるまで、Ｒ、Ｇ、Ｂ光源を全て点滅、すなわち、ターンオフさせるか、Ｒ、Ｇ、Ｂ光源の光量を全て一定の値に減らすことができる。それにより、次のサブフレームの偶数ラインサブフレームである場合、奇数ラインでカラーが表示されないようにすることができる。
【００５２】
このように、１つのフレームを２つのサブフレームで区分して表示するようになると、視線軌跡に沿って重なる領域３０’の大きさがずっと大きくなる。それにより、色割れが発生する部分が大きく減少するようになり、ユーザの認識する色割れ現象が軽減することができる。
【００５３】
図３の（ｂ）において、１つのフレームを２つのサブフレームに区分する実施形態のみを示しているが、３つ以上のサブフレームで区分する実施形態も可能である。
【００５４】
一方、図４は、ディスプレイパネルにおけるカラーデータ表示方法を説明するための図である。
【００５５】
図４によると、２４０Ｈｚで動作するディスプレイパネルである場合、奇数ラインサブフレームと偶数ラインサブフレームとは、それぞれ１２０Ｈｚレートの水平同期信号、４８０Ｈｚの垂直同期信号に応じて表示される。
【００５６】
個の場合、１つのサブフレームを計４つの区間に区分し、１番目の区間ではＲカラーデータ（１１ｒ）、２番目の区間ではＧカラーデータ（１１ｇ）、３番目の区間ではＢカラーデータ（１１ｂ）を表示する。４番目の区間では、ブラック（１１ｋ）を表示する。それにより、次のサブフレームで表示されるカラーラインに影響を及ぼさなくなる。すなわち、次に継続する偶数ラインサブフレームの１番目の区間であるＲカラーデータ（１２ｒ）が正常に表示されてよい。偶数ラインサブフレームでも、偶数ラインに対するＲカラーデータ（１２ｒ）以後にＧカラーデータ（１２ｇ）、Ｂカラーデータ（１２ｂ）が順次に表示された後、再びブラック（１２ｋ）を表示する。このような表示をＰｓｅｕｄｏ  ４８０Ｈｚ駆動方式と称してよい。このように、Ｐｓｅｕｄｏ  ４８０Ｈｚ駆動方式と１２０Ｈｚの動き推定または動き補償を同時を行い、色割れ現象を防止し、それにより、映像品質が低下することも防止することができる。一方、図３の（ｂ）で示すように、ディスプレイパネルでブラックが表示される間、バックライトユニットでは、Ｒ、Ｇ、Ｂ光源を全て点滅させるか、Ｒ、Ｇ、Ｂ光源の光量を一定水準以下に減らすことができる。
【００５７】
図５は、本発明の一実施形態に係るディスプレイ装置の構成を示すブロック図である。図５によると、ディスプレイ装置２００は、バックライトユニット２１０と、バックライト駆動部２２０と、ディスプレイ部２３０と、制御部２４０と、処理部３００とを含む。図５のディスプレイ装置は、テレビ、モニタ、デジタルフォトフレーム、携帯電話、ＰＤＡ、ＭＰ３等のような多様な装置で実現されてよい。
【００５８】
バックライトユニット２１０は、互いに異なるカラーの複数の光源を含む。例えば、Ｒ、Ｇ、Ｂ光源を備える。このような光源は、発光ダイオード（ＬＥＤ）、冷陰極蛍光ランプ（Ｃｏｏｌ  Ｃａｔｈｏｄｅ  Ｆｌｏｒｅｓｃｅｎｔ  Ｌａｍｐ：ＣＣＦＬ）等で実現されてよい。各カラーごとに複数の光源が設けられてよい。直下型ディスプレイ装置である場合には、各光源はバックライトユニット２１０の前面に配置され、エッジ型ディスプレイ装置である場合には、エッジ部分に配置される。各光源は、バックライト駆動部２２０から入力される駆動信号に応じてターンオン／オフされる。
【００５９】
ディスプレイ部２３０は、ディスプレイパネル、ゲート駆動電極、データ電極等を含み、処理部３００で処理されたデータをディスプレイする。ディスプレイパネルには、複数の液晶セルがマトリックス形態で配列される。そして、各セルには、データラインとゲートラインとが連結され、そのラインの交差時点にはＴＦＴが形成される。
【００６０】
制御部２４０は、処理部３００で処理されたデータに応じて、ゲート電極およびデータ電極に信号を印加してＴＦＴをスイッチングさせる。それにより、各液晶セルをターンオンまたはターンオフ制御することができる。
【００６１】
一方、処理部３００は、入力映像信号のフレームを複数個のサブフレームに区分し、順次に出力するようにディスプレイ部２３０に提供する。そして、処理部３００は、各サブフレームごとに複数の光源が順次に点灯されるようにバックライト駆動部に同期信号を出力する。図５における処理部３００が、１つの単一チップまたはモジュールからなってよい。
【００６２】
バックライト駆動部２２０は、処理部３００で提供される同期信号に応じて、バックライトユニット２１０に設けられた複数の光源を順次に駆動させて点灯させる。
【００６３】
制御部２４０は、このようなバックライト駆動部２２０と、処理部３００と、ディスプレイ部２３０の動作を制御し、フレームシーケンシャルカラー駆動方式でディスプレイが行われるようにする。
【００６４】
図６は、本発明の別の実施形態に係るディスプレイ装置の構成を示すブロック図である。
【００６５】
図６によると、ディスプレイ装置は、バックライトユニット２１０と、バックライト駆動部２２０と、ディスプレイ部２３０と、制御部２４０と、同期信号処理部３１０と、サブフレーム算出部３２０と、ディスプレイ処理部３３０とを含む。
【００６６】
ここで、サブフレーム算出部３２０は、図１および図２において説明しているように、入力映像信号のフレームをｎ個のサブフレーム（ｎは２以上の整数）に区分する構成である。ここで、ｎが２である場合には、奇数ラインに該当する奇数ラインサブフレームと、偶数ラインに該当する偶数ラインサブフレームとに区分されてよい。
【００６７】
なお、同期信号処理部３１０は、サブフレームの数に応じて、出力垂直同期信号および出力水平同期信号を調整し、バックライト駆動部２２０に出力する。
【００６８】
ディスプレイ処理部３３０は、ｎ個のサブフレームをディスプレイパネル上に順次に出力する。
【００６９】
１つのフレームがｎ個のサブフレームに区分された場合、同期信号処理部３１０は、出力垂直同期信号の周波数を入力垂直同期信号の周波数よりｎ倍増大させ、出力水平同期信号の数を入力水平同期信号の１／ｎ倍に減少させる。
【００７０】
同期信号処理部３１０で調整された同期信号は、ディスプレイ処理部３３０およびバックライト駆動部２２０に提供される。
【００７１】
図６によると、ディスプレイ処理部３３０は、入力映像信号を複数の色成分に分離する分離部３３１と、サブフレーム算出部３２０で区分された複数のサブフレームに応じて入力映像信号のデータを選択的にディスプレイ部２３０に提供するデータ選択部３３２と、そして、補正部３３３とを含んでよい。
【００７２】
分離部３３１は、同期信号処理部３１０から提供される同期信号に応じて入力映像信号から複数のカラーチャネルを分離する。
【００７３】
そして、データ選択部３３２は、分離部３３１で分離されたそれぞれのカラーチャネルを予め設定された順に応じて順次にディスプレイ部２３０に提供する。
【００７４】
補正部３３３は、上述のように、動き推定または動き補償方式を用いて、毎サブフレームにおけるイメージ客体の表示位置を補正する。
【００７５】
図６において、補正部３３３は、ディスプレイ処理部３３０内に設けられているが、ディスプレイ処理部３３０の外部に別途のモジュールとして設けられてよい。
【００７６】
一方、サブフレーム算出部３２０は、ｎが２に設定された場合には、入力映像信号のフレームを、前記フレームの全ラインの中の奇数ラインを示す奇数ラインサブフレームおよび偶数ラインを示す偶数ラインサブフレームに区分することができる。
【００７７】
それにより、ディスプレイ処理部３３０は、奇数ラインサブフレームおよび偶数ラインサブフレームを順次にディスプレイし、同期信号処理部３１０は、奇数ラインサブフレームおよび偶数ラインサブフレームに合わせて、各サブフレーム内で複数の光源が順次に点灯されるように同期信号を出力する。
【００７８】
Ｒ、Ｇ、Ｂ光源を含むバックライトユニット２１０なら、バックライト駆動部２２０は同期信号に合わせて、１つのサブフレーム内でＲ、Ｇ、Ｂ光源が順次に点灯され、次のサブフレームが開始される際に、再びＲ、Ｇ、Ｂ光源が順次に点灯されるように各光源に対する駆動信号を出力する。一方、データ選択部は、１つのサブフレーム内で、各カラーフレームが表示されると、次のサブフレームが表示される前にディスプレイ部２３０にブラックを表示するように処理する。
【００７９】
図７は、本発明の一実施形態に係るディスプレイ方法を説明するためのフローチャートである。図７によると、フレームを複数個のサブフレームに区分し（Ｓ７１０）、そのサブフレームの数に応じて、出力同期信号を生成する（Ｓ７２０）。出力同期信号には、出力垂直同期信号、出力水平同期信号が含まれる。
【００８０】
その後、サブフレームを順次にディスプレイパネル上に表示しつつ、出力同期信号に応じてバックライトユニット内の互いに異なるカラーの光源を順次に点灯させる（Ｓ７３０）。すなわち、１つのサブフレーム内において、各カラー光源が１回ずつ点灯される。それにより、１つのフレーム単位内で、各カラー光源が複数回点灯されるため、視線軌跡に沿って客体が移動するとしても、色割れ現象が大きく軽減することができる。
【００８１】
図８は、本発明の一実施形態に係るディスプレイ方法における光源駆動ステップを具体的に説明するためのフローチャートである。
【００８２】
図８によると、１つのサブフレーム出力時点と同期し、Ｒ光源を点灯させる（Ｓ８１０）。それにより、予め設定されたＲターンオン時間の間、Ｒ光源点灯状態を保持する。このような状態において、Ｒターンオン時間が経過すると（Ｓ８２０）、Ｒ光源を消し、Ｇ光源を点灯する（Ｓ８３０）。その後、予め設定されたＧターンオン時間が経過すると（Ｓ８４０）、Ｇ光源を消し、Ｂ光源を点灯する（Ｓ８５０）。その後、Ｂターンオン時間が経過すると（Ｓ８６０）、予め設定された時間の間、ブラックをディスプレイする（Ｓ８７０）。ここで、予め設定された時間は、１つのサブフレーム内の残存時間になってよい。
【００８３】
その後、次のサブフレームが出力されると（Ｓ８８０）、再びＲ、Ｇ、Ｂ光源を順次に点灯する過程を繰り返し行う。
【００８４】
以上では、Ｒ、Ｇ、Ｂ光源が使用された場合について説明したが、上述のように、光源の種類は多様に変更されてよく、その数も多様に決定されてよい。なお、点灯順も、必ずしもＲ、Ｇ、Ｂ順に制限されるわけではなく、多様に変更されてよい。
【００８５】
以上のように、本発明の多様な実施形態によると、１つのフレームを複数のサブフレームに区分し、フレーム（または、フィールド）シーケンシャルカラー駆動を行う。それにより、客体移動によって発生する色割れ現象を効果的に防止することができるようになる。
【００８６】
上述の本発明の多様な実施形態に係る映像信号処理方法またはディスプレイ方法は、多様な記録媒体に保存され、各種電子装置に備えられたＣＰＵによって実行できるプログラムコードによって実現されてよい。
【００８７】
具体的には、上述の方法を実行するためのコードは、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカード、ＵＳＢメモリ、ＣＤ−ＲＯＭなどのように、端末機で読取可能な多様な記録媒体に保存されていてよい。
【００８８】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
2014518399.tif 000003
【図２】
2014518399.tif 000004
【図３】
2014518399.tif 000005
【図４】
2014518399.tif 000006
【図５】
2014518399.tif 000007
【図６】
2014518399.tif 000008
【図７】
2014518399.tif 000009
【図８】
2014518399.tif 000010
【国際調査報告】
2014518399.tif 000011
2014518399.tif 000012